(57)【要約】【課題】マッサージ装置に関し、詳しくは、改良された揉み玉を有するマッサージ装置を提供する。【解決手段】電動機を有する本体部と、本体部に設けられかつ電動機で第１軸の回りで回転駆動される回転台３と、回転台３上に設けられかつ使用者に押圧されて刺激を与える揉み玉４とを有するマッサージ装置である。揉み玉４は、使用者側に向かって凸となる略半球状の外表面１０ａを有した殻状の指圧部１０と、一端側が指圧部１０の内表面１０ｂに固着された内筒部１１とを含む。内筒部１１は、回転台３の第１軸から偏心した位置に設けられた孔に、第１軸と平行な第２軸Ａ２の回りで回転可能かつ回転台３から抜け止めされて挿入されている。揉み玉４と、回転台３との間には、指圧部１０を回転台３から遠ざかる向きに付勢するバネ１６が設けられている。【選択図】図６
0003183822.tif 000002
【実用新案登録請求の範囲】
【請求項１】
電動機を有する本体部と、前記本体部に設けられかつ前記電動機で第１軸の回りで回転駆動される回転台と、前記回転台上に設けられかつ使用者に押圧されて刺激を与える揉み玉とを有するマッサージ装置であって、
前記揉み玉は、前記使用者側に向かって凸となる略半球状の外表面を有した殻状の指圧部と、一端側が前記指圧部に内表面に固着された内筒部とを含み、
前記内筒部は、前記回転台の前記第１軸から偏心した位置に、前記第１軸と平行な第２軸の回りで回転可能かつ前記回転台から抜け止めされて設けられ、
前記揉み玉と、前記回転台との間には、前記指圧部を前記回転台から遠ざかる向きに付勢するバネが設けられていることを特徴とするマッサージ装置。
【請求項２】
前記揉み玉は、前記指圧部の内表面の最も突出した位置に前記内筒部が固着された傘状である請求項１記載のマッサージ装置。
【請求項３】
前記揉み玉は、前記内筒部の外側に、前記内筒部と同心の外筒部が設けられ、
前記内筒部と前記外筒部との間の空間に、コイル状の前記バネが設けられている請求項２に記載のマッサージ装置。
【請求項４】
前記回転台と前記揉み玉との間には、前記揉み玉の前記第２軸に沿った移動を案内するガイド部材が設けられている請求項３に記載のマッサージ装置。
【請求項５】
前記ガイド部材は、一端側が前記内筒部と前記外筒部との間の空間に挿入されかつ他端側が前記回転台の上面側に位置する筒状である請求項４に記載のマッサージ装置。
【請求項６】
前記ガイド部材は、前記回転台と前記指圧部との間で前記第２軸と直交する向きにのびる鍔部と、この鍔部の縁で指圧部側にのびる立ち上がり部とからなる皿状部をさらに含み、
前記揉み玉に荷重が作用していない自由状態において、前記立ち上がり部は、前記指圧部の内部に挿入されている請求項５記載のマッサージ装置。
【請求項７】
前記皿状部は、前記揉み玉の前記第２軸に沿った前記回転台側の移動を規制する請求項６記載のマッサージ装置。
【請求項８】
前記皿状部と前記指圧部とで囲まれた空間に、発熱体が配されている請求項６又は７に記載のマッサージ装置。
【請求項９】
前記発熱体は基板に設けられており、前記基板から電源ケーブルがのびており、前記電源ケーブルは、前記回転体の前記本体部側の面に設けられている端子に接続されており、
前記本体部には、前記第１軸の回りを移動する前記端子と摺動可能なスリップリングが設けられており、
前記スリップリングが電源装置に接続されている請求項８に記載のマッサージ装置。
【考案の詳細な説明】
【技術分野】
【０００１】
本考案は、使用者に刺激を与える揉み玉を有するマッサージ装置に関し、詳しくは、改良された揉み玉を有するマッサージ装置に関する。
【背景技術】
【０００２】
身体の血行不良等を改善するものとして、マッサージが知られている。典型的なマッサージは、身体の各部を押圧して刺激を与えるもので、マッサージ装置が主として用いられる。このようなマッサージ装置として、特許文献１は、揉み玉を有するマッサージ装置を提案している。
【先行技術文献】
【特許文献】
【０００３】
【特許文献１】特開２０１２−２４５２５６号公報
【考案の概要】
【考案が解決しようとする課題】
【０００４】
しかしながら、特許文献１に記載されている揉み玉は、構造が複雑であるという問題があった。
【０００５】
本考案は、以上のような実状に鑑み案出されたもので、構造が簡単でありながら、一つの軸の回りに回転でき、かつ、その軸に沿って移動が可能な改良された揉み玉を有するマッサージ装置を提供することを目的とする。
【課題を解決するための手段】
【０００６】
請求項１記載の考案は、電動機を有する本体部と、前記本体部に設けられかつ前記電動機で第１軸の回りで回転駆動される回転台と、前記回転台上に設けられかつ使用者に押圧されて刺激を与える揉み玉とを有するマッサージ装置であって、前記揉み玉は、前記使用者側に向かって凸となる略半球状の外表面を有した殻状の指圧部と、一端側が前記指圧部に内表面に固着された内筒部とを含み、前記内筒部は、前記回転台の前記第１軸から偏心した位置に、前記第１軸と平行な第２軸の回りで回転可能かつ前記回転台から抜け止めされて設けられ、前記揉み玉と、前記回転台との間には、前記指圧部を前記回転台から遠ざかる向きに付勢するバネが設けられていることを特徴とする。
【０００７】
また請求項２記載の考案は、前記揉み玉は、前記指圧部の内表面の最も突出した位置に前記内筒部が固着された傘状である請求項１記載のマッサージ装置である。
【０００８】
また請求項３記載の考案は、前記揉み玉は、前記内筒部の外側に、前記内筒部と同心の外筒部が設けられ、前記内筒部と前記外筒部との間の空間に、コイル状の前記バネが設けられている請求項２に記載のマッサージ装置である。
【０００９】
また請求項４記載の考案は、前記回転台と前記揉み玉との間には、前記揉み玉の前記第２軸に沿った移動を案内するガイド部材が設けられている請求項３に記載のマッサージ装置である。
【００１０】
また請求項５記載の考案は、前記ガイド部材は、一端側が前記内筒部と前記外筒部との間の空間に挿入されかつ他端側が前記回転台の上面側に位置する筒状である請求項４に記載のマッサージ装置である。
【００１１】
また請求項６記載の考案は、前記ガイド部材は、前記回転台と前記指圧部との間で前記第２軸と直交する向きにのびる鍔部と、この鍔部の縁で指圧部側にのびる立ち上がり部とからなる皿状部をさらに含み、前記揉み玉に荷重が作用していない自由状態において、前記立ち上がり部は、前記指圧部の内部に挿入されている請求項５記載のマッサージ装置である。
【００１２】
また請求項７記載の考案は、前記皿状部は、前記揉み玉の前記第２軸に沿った前記回転台側の移動を規制する請求項６記載のマッサージ装置である。
【００１３】
また請求項８記載の考案は、前記皿状部と前記指圧部とで囲まれた空間に、発熱体が配されている請求項６又は７に記載のマッサージ装置である。
【００１４】
また請求項９記載の考案は、前記発熱体は基板に設けられており、前記基板から電源ケーブルがのびており、前記電源ケーブルは、前記回転体の前記本体部側の面に設けられている端子に接続されており、前記本体部には、前記第１軸の回りを移動する前記端子と摺動可能なスリップリングが設けられており、前記スリップリングが電源装置に接続されている請求項８に記載のマッサージ装置である。
【考案の効果】
【００１５】
本考案のマッサージ装置は、電動機を有する本体部と、本体部に設けられかつ電動機で第１軸の回りで回転駆動される回転台と、回転台上に設けられかつ使用者に押圧されて刺激を与える揉み玉とを有する。揉み玉は、使用者側に向かって凸となる略半球状の外表面を有した殻状の指圧部と、一端側が指圧部に内表面に固着された内筒部とを含み、内筒部は、回転台の第１軸から偏心した位置に、第１軸と平行な第２軸の回りで回転可能かつ回転台から抜け止めされて設けられている。さらに、揉み玉と回転台との間には、指圧部を回転台から遠ざかる向きに付勢するバネが設けられている。
【００１６】
従って、本考案のマッサージ装置の揉み玉は、構造が簡単でありながら、第２軸の回りに回転でき、かつ、その軸に沿って移動が可能である。従って、本考案のマッサージ装置の使用時、使用者の患部が揉み玉に強く押し当てられても、その力は、バネによって緩和される。これは、マッサージ装置へ作用する力を軽減し、破損等を防止する。回転台の第１軸回りの回転により、揉み玉も第１軸を中心として回転（公転）する。揉み玉は、回転台に対して第２軸の回りに回転可能に設けられているため、使用者又はカバー（図示せず）と揉み玉の指圧部との摩擦は、揉み玉が第２軸回りに回転（自転）することにより軽減される。従って、揉み玉の耐久性が向上する。
【００１７】
揉み玉は、指圧部の内表面の最も突出した位置に内筒部が固着された傘状が望ましい。これにより、高い剛性を具えた揉み玉が得られる。
【００１８】
揉み玉は、内筒部の外側に、内筒部と同心の外筒部が設けられるのが望ましい。内筒部と外筒部との間の空間には、コイル状のバネが最適に配置され得る。
【００１９】
回転台と揉み玉との間には、揉み玉の第２軸に沿った移動を案内するガイド部材が設けられているのが望ましい。これにより、揉み玉の第２軸に沿った移動が円滑になる。
【００２０】
ガイド部材は、一端側が内筒部と外筒部との間の空間に挿入されかつ他端側が回転台の上面側に位置する筒状であるのが望ましい。簡単なガイド部材の構成により、揉み玉の移動が円滑になる。
【００２１】
ガイド部材は、回転台と指圧部との間で第２軸と直交する向きにのびる鍔部と、この鍔部の縁で指圧部側にのびる立ち上がり部とからなる皿状部をさらに含むことが望ましい。揉み玉に荷重が作用していない自由状態では、立ち上がり部は、指圧部の内部に挿入されているのが望ましい。これにより、例えば、指圧部の移動が、立ち上がり部で案内され得る。
【００２２】
皿状部は、揉み玉の第２軸に沿った回転台側の移動を規制することが望ましい。これにより、揉み玉の破損等が防止され、装置の耐久性が向上する。
【００２３】
皿状部と指圧部とで囲まれた空間には、発熱体が配されていることが望ましい。このような指圧部を使用者に押圧することにより、指圧効果と温熱効果とを同時に与えることができる。
【００２４】
発熱体が取り付けられた基板から電源ケーブルがのびており、電源ケーブルは、回転体の本体部側の面に設けられている端子に接続させることができる。本体部には、第１軸の回りを移動する前記端子と摺動可能なスリップリングが設けられており、このスリップリングが電源装置に接続されていることが望ましい。これにより、回転する皿状部の上の基板に電力を安定的に供給することができる。
【図面の簡単な説明】
【００２５】
【図１】本考案の一実施形態を示すマッサージ装置の斜視図である。
【図２】図１のマッサージ装置の平面図である。
【図３】図２の回転台の部分拡大図である。
【図４】図３の側面図である。
【図５】揉み玉の分解斜視図である。
【図６】図３のＩ−Ｉ断面図である。
【考案を実施するための形態】
【００２６】
以下、本考案の実施の一形態が図面に基づき説明される。
図１には、本実施形態のマッサージ装置１の斜視図が示される。図２はその平面図が示されている。本実施形態のマッサージ装置１は、例えば、使用者の背中や腰等をマッサージするために好適に用いられる。
【００２７】
図１及び２に示されるように、マッサージ装置１は、矩形状の本体部２と、本体部２に対して第１軸Ａ１の回りで回転駆動可能に設けられた回転台３と、回転台３上に設けられかつ使用者に押圧されて刺激を与える揉み玉４とを有している。本実施形態において、回転台３は、２つ設けられている。
【００２８】
本実施形態のマッサージ装置１は、例えば、矩形の額縁状をなす基枠部５の中に配されている。マッサージ装置１は、基枠部５に対して、図示しない駆動機構により、移動可能に設けられている。基枠部５の短い辺に沿った方向をＸ、長い辺に沿った方向をＹ、及び、厚さ方向をＺとしたとき、マッサージ装置１は、基枠部５に対して、Ｙ軸方向に往復移動可能に設けられている。マッサージ装置１は、基枠部５とともに、布等からなるカバー（図示省略）で覆われているのが望ましい。
【００２９】
本実施形態のマッサージ装置１は、例えば、持ち運ぶことができるように、小型化されている。但し、本考案のマッサージ装置１は、このような形態に限定されるものではなく、例えば、椅子状に構成されても良い。好ましい態様では、マッサージ装置１は、例えば、床面や、ソファや椅子等の背もたれ部等に置かれる。使用者のマッサージをしたい部位は、マッサージ装置１の揉み玉４に押し当てられる。
【００３０】
本体部２は、矩形状のケーシング６で覆われている。図２に示されるように、ケーシング６の内部には、電動機Ｍ１、Ｍ２が設けられている。電動機Ｍ１は、歯車又はベルト等の動力伝動具（詳細図示せず）を介して、２つの回転台３をそれぞれ第１軸Ａ１の回りに回転駆動させる。電動機Ｍ２は、本体部２を基枠部５に沿って往復移動させる。
【００３１】
ケーシング６の上面には、２つの開口部Ｏ１、Ｏ２が設けられている。各開口部Ｏ１、Ｏ２から、回転台３がケーシング６から露出するように設けられているいる。好ましい態様では、回転台３は、電動機Ｍ１が駆動されることにより、開口部Ｏ１、Ｏ２のそれぞれの範囲内において、Ｘ軸方向に往復移動することもできる（詳細不図示）。ただし、回転台３は、少なくとも第１軸Ａ１の回りで回転することができれば良い。
【００３２】
図３は回転台３の拡大平面図、図４はその側面図（一部断面図）、図５はその分解斜視図、図６は図３のＩ−Ｉ断面図が示されている。各回転台３は、例えば、円盤状に形成されており、電動機Ｍ１で駆動される軸７（図４に示されている）で下側から支持されている。
【００３３】
図３に示されるように、回転台３の第１軸Ａ１は、回転台３の平面から見た中心に一致している。第１軸Ａ１は、Ｚ軸と平行である。
【００３４】
図３及び図４に示されるように、回転台３の第１軸Ａ１から距離Ｌで偏心した位置に揉み玉４が設けられている。図６に示されるように、揉み玉４は、指圧部１０と、内筒部１１とを一体に具えており、本実施形態では樹脂で形成されている。
【００３５】
指圧部１０は、殻状であり、マッサージ装置１の使用者側に向かって凸となる滑らかな略半球状の外表面１０ａを有している。内筒部１１は、一端側が指圧部１０の内表面１０ｂに固着されている。本実施形態の内筒部１１は、指圧部１０の内表面１０ｂの最も突出した位置に内筒部１１が固着されている。これにより、揉み玉４は、全体として傘状に形成されている。このような揉み玉４は、高い剛性を具える点で好ましい。
【００３６】
図５及び図６に示されるように、内筒部１１は、回転台３の孔１２に挿入されている。孔１２は、第１軸Ａ１から偏心した位置に設けられている。孔１２の内径は、内筒部１１の外径よりも僅かに大きく形成されている。これにより、内筒部１１は、第１軸Ａ１と平行な第２軸Ａ２の回りで回転可能である。
【００３７】
図６に示されるように、内筒部１１の下端側には、回転台３の下方側から、ワッシャー１４を介してビス１３が固着されている。ワッシャー１４の外径は、孔１３の内径よりも大きい。これにより、内筒部１１は、回転台３から上方への抜け止めがなされている。揉み玉４は、回転台３に対して上下に移動することができるように、内筒部１１は、十分に大きい軸方向の長さを有している。
【００３８】
揉み玉４と回転台３との間には、バネ１６が設けられている。バネ１６は、コイル状の圧縮バネである。これにより、指圧部１０は、回転台３から遠ざかる向きに付勢されている。
【００３９】
従って、本考案のマッサージ装置１の揉み玉４は、簡単な構造にて、第２軸Ａ２の回りに回転でき、かつ、第２軸Ａ２に沿って上下に移動が可能である。マッサージ装置１の使用時、使用者の患部が揉み玉４に強く押し当てられるが、その力は、バネ１６によって緩和される。これは、マッサージ装置１へ作用する力を軽減し、破損等が防止される。回転台３の第１軸Ａ１の回転により、揉み玉４も第１軸Ａ１を中心として回転する。揉み玉４は、回転台３に対して第２軸Ａ２の回りに回転可能に設けられているため、この回転により、カバー（図示せず）と揉み玉４の指圧部１０との摩擦が軽減され、ひいては揉み玉４への負担を軽減することができる。従って、揉み玉４の耐久性が向上する。
【００４０】
好ましい態様では、揉み玉４には、内筒部１１の外側に、内筒部１１と同心の外筒部１８が設けられるのが望ましい。内筒部１１と外筒部１８との間の空間ｉ１には、バネ１６が最適に配置され得る。
【００４１】
さらに、好ましい態様では、回転台３と揉み玉４との間には、ガイド部材２０が設けられるのが望ましい。ガイド部材２０は、揉み玉の上下の移動が円滑となるように、揉み玉４の第２軸Ａ２に沿った移動を案内することができる。
【００４２】
ガイド部材２０は、例えば、一端２０ａ側が内筒部１１と外筒部１８との間の空間ｉに挿入されており、他端２０ｂ側が回転台３の上面側に当接する筒状である。このようなガイド部材２０は、簡単な筒状の構成により、揉み玉４の上下又は回転移動を円滑にする。
【００４３】
さらに好ましい態様では、ガイド部材２０は、皿状部２２を含むことが望ましい。皿状部２２は、鍔部２３と、鍔部２３の縁に設けられた立ち上がり部２４とからなる。
【００４４】
鍔部２３は、例えば、回転台３と指圧部１０との間で第２軸Ａ２と直交する向きにのびており、本実施形態では円盤状である。立ち上がり部２４は、鍔部２３の縁で指圧部１０側にのびている。揉み玉４に使用者からの荷重が作用していない自由状態では、立ち上がり部２４は、指圧部１１の内部側に挿入されている。これに対応して、指圧部１０の回転台３側の下縁部１０ｃは、立ち上がり部２４の外面に沿った円筒状の内周面２５を有する。これにより、揉み玉４の指圧部１０の上下の移動が、立ち上がり部２４の外面によっても案内され、揉み玉４の上下移動がさらに安定し、耐久性が向上する。
【００４５】
皿状部２２は、揉み玉４が第２軸Ａ２に沿って回転台３側に移動したときの移動を規制することが望ましい。例えば、皿状部２２の鍔部２３の上面は、揉み玉４の外筒部１８の下端面と当接することにより、揉み玉４の回転台３側への移動を規制することができる。
【００４６】
同様に、立ち上がり部２４の上端面２４ａは、指圧部１０の内側面１０ｂに設けられた略水平な当面１０ｄと当接することにより、揉み玉４の回転台３側への移動を規制することができる。これらの規制は、ほぼ同じタイミングで行われるのが望ましい。これにより、揉み玉４の破損等が防止され、マッサージ装置１の耐久性が向上する。皿状部２２は、回転台にビス３０で固着されている。
【００４７】
皿状部２２と指圧部１０とで囲まれたドーム状の空間ｉ２には、発熱体２６が配されている。発熱体２６は、例えば、基板２７の上に配されている。発熱体２６としては、例えば、発光ダイオード等の半導体等が挙げられる。このような構成は、透光性材料からなる揉み玉４と組み合わされるのが望ましい。揉み玉４の運転時、発熱体２６である発光ダイオードを点灯させることにより、揉み玉４を光らせその位置の視認性を高めることができる。加えて、揉み玉４は、発熱体２６によって空間ｉ２を介して温められるので、マッサージ効果に加えて、温熱効果を使用者に与えることができる。
【００４８】
図５に示されるように、基板２７から電力を供給する電源ケーブル２８、２９がのびている。電源ケーブル２８、２９は、回転台３の本体部側の面に設けられた孔３３、３４に、それぞれ下向きに付勢されて固定された端子３１、３２に接続されている。これらの接続部は、カバー３５、３６で覆われている。
【００４９】
本体部２には、第１軸Ａ１の回りを移動する端子３１、３２と摺動可能なスリップリング（図示省略）が設けられており、このスリップリングが電源装置に接続されている。これにより、回転する皿状部の上の基板に電力を安定的に供給することができる。
【００５０】
揉み玉４は、複数個設けられても良い。本実施形態では、小型の揉み玉４０が設けられている。この揉み玉４０も、揉み玉４と同一の構成を有しても良い。揉み玉４０は、簡素化されたものでも良い。
【００５１】
以上、本考案の特に好ましい実施形態について詳述したが、本考案は図示の実施形態に限定されることなく、種々の態様に変形して実施しうる。
【符号の説明】
【００５２】
１  マッサージ装置
２  本体部
３  回転台
４  揉み玉
５  基枠部
１０  指圧部
１１  内筒部
１６  バネ
１８  外筒部
２０  ガイド部材
２２  皿状部
２３  鍔部
２４  立ち上がり部
２６  発熱体
２７  基板
２８、２９  電源ケーブル
Ａ１  第１軸
Ａ２  第２軸
【図１】
0003183822.tif 000003
【図２】
0003183822.tif 000004
【図３】
0003183822.tif 000005
【図４】
0003183822.tif 000006
【図５】
0003183822.tif 000007
【図６】
0003183822.tif 000008